(57)【要約】【課題】  一段と高速にデータ通信し得るデータ通信システムを実現する。【解決手段】  電子機器２が、メモリカード４の筐体５に露出しているパラレル通信モードであることを示す延長溝部分Ｇ１０ｅを、溝検出スイッチ９で検出することにより、メモリカード４がパラレル通信方式に対応していることを認識することができ、この結果、電子機器２がシリアル通信方式でメモリカード４とデータ通信してメモリカード４の対応する通信方式を認識する処理を行わずに、直ちにパラレル通信方式で実データの送受を開始することができるので、一段と高速にデータ通信し得るデータ通信システムを実現できる。【選択図】          図５
2006079289.tif 000002
【特許請求の範囲】
【請求項１】
第１の通信装置と第２の通信装置とが接続されて互いに対応する通信方式で通信する通信システムにおいて、
上記第１の通信装置は、
第１の通信方式に対応する第１の通信手段と、
上記第１の通信方式に対応することを示す凹部が形成された筐体と
を具え、
上記第２の通信装置は、
上記第１の通信方式に対応する第２の通信手段と、
上記第１の通信装置の筐体に設けられた上記凹部を検出する検出手段と、
上記検出手段により上記凹部が検出されると、上記第１の通信方式で通信するよう上記第２の通信手段を制御する制御手段と
を具えることを特徴とする通信システム。
【請求項２】
上記第１の通信手段は、
上記第１の通信方式及び第２の通信方式に対応し、
上記第１の通信装置の筐体は、
上記凹部を、上記検出手段に検出させ得る状態と、上記検出手段に検出させ得ない状態とに変化させる状態変化手段を有し、
上記第２の通信手段は、
上記第１の通信方式及び第２の通信方式に対応し、
上記制御手段は、
上記検出手段により上記凹部が検出された場合、上記第１の通信方式で通信するよう上記第２の通信手段を制御し、上記検出手段により上記凹部が検出されなかった場合、上記第２の通信方式で通信するよう上記第２の通信手段を制御する
ことを特徴とする請求項１に記載の通信システム。
【請求項３】
上記第１の通信装置の筐体は、
上記第１の通信手段を上記第１の通信方式又は上記第２の通信方式に切り替えるための切替手段を有し、
上記状態変化手段は、
上記切替手段により上記第１の通信手段が上記第１の通信方式に切り替えられた場合、上記凹部を、上記検出手段に検出させ得る状態に変化させ、上記第１の通信手段が上記第２の通信方式に切り替えられた場合、上記凹部を、上記検出手段に検出させ得ない状態に変化させる
ことを特徴とする請求項２に記載の通信システム。
【請求項４】
上記切替手段は、
上記状態変化手段を兼ねており、上記第１の通信手段を上記第１の通信方式に切り替えると共に、上記凹部を、上記検出手段に検出させ得る状態に変化させ、また上記第１の通信手段を上記第２の通信方式に切り替えると共に、上記凹部を、上記検出手段に検出させ得ない状態に変化させる
ことを特徴とする請求項３に記載の通信システム。
【請求項５】
上記第１の通信方式は、パラレル通信方式であり、上記第２の通信方式はシリアル通信方式である
ことを特徴とする請求項２に記載の通信システム。
【請求項６】
第１の通信装置と第２の通信装置とが接続されて互いに対応する通信方式で通信する通信方法において、
第１の通信方式に対応する第１の通信手段を有する第１の通信装置の筐体に形成された当該第１の通信方式に対応することを示す凹部を、当該第１の通信方式に対応する第２の通信手段を有する第２の通信装置が検出する検出ステップと、
上記検出ステップで上記凹部を検出すると、上記第２の通信装置が、上記第１の通信方式で通信するよう上記第２の通信手段を制御する制御ステップと
を具えることを特徴とする通信方法。
【請求項７】
上記第１の通信手段は、上記第１の通信方式及び第２の通信方式に対応し、
上記第２の通信手段は、上記第１の通信方式及び第２の通信方式に対応し、
上記凹部を、上記検出ステップで検出させ得る状態と、上記検出ステップで検出させ得ない状態とに変化させる状態変化ステップを具え、
上記制御ステップでは、
上記検出ステップで上記凹部が検出された場合、上記第１の通信方式で通信するよう上記第２の通信手段を制御し、上記検出ステップで上記凹部が検出されなかった場合、上記第２の通信方式で通信するよう上記第２の通信手段を制御する
ことを特徴とする請求項６に記載の通信方法。
【請求項８】
上記第１の通信手段を上記第１の通信方式又は上記第２の通信方式に切り替える切替ステップを具え、
上記状態変化ステップでは、上記切替ステップで上記第１の通信手段が上記第１の通信方式に切り替えられた場合、上記凹部を、上記検出ステップで検出させ得る状態に変化させ、上記切替ステップで上記第１の通信手段が上記第２の通信方式に切り替えられた場合、上記凹部を、上記検出ステップで検出させ得ない状態に変化させる
ことを特徴とする請求項７に記載の通信方法。
【請求項９】
上記状態変化ステップでは、
上記凹部を、上記検出ステップで検出させ得る状態に変化させると共に、上記第１の通信手段を上記第１の通信方式に切り替え、また上記凹部を、上記検出ステップで検出させ得ない状態に変化させると共に、上記第１の通信手段を上記第２の通信方式に切り替える
ことを特徴とする請求項７に記載の通信方法。
【請求項１０】
上記第１の通信方式は、パラレル通信方式であり、上記第２の通信方式はシリアル通信方式である
ことを特徴とする請求項６に記載の通信方法。
【請求項１１】
第１の通信方式に対応する通信手段と、
上記第１の通信方式に対応することを通信先装置に示すための凹部が形成された筐体と
を具えることを特徴とする通信装置。
【請求項１２】
上記通信手段は、
上記第１の通信方式及び第２の通信方式に対応し、
上記筐体は、
上記凹部を、上記通信先装置に示し得る状態と、上記検出手段に示し得ない状態とに変化させる状態変化手段を有する
ことを特徴とする請求項１１に記載の通信装置。
【請求項１３】
上記筐体は、
上記通信手段を上記第１の通信方式又は上記第２の通信方式に切り替えるための切替手段を有し、
上記状態変化手段は、
上記切替手段により上記通信手段が上記第１の通信方式に切り替えられた場合、上記凹部を、上記通信先装置に示し得る状態に変化させ、上記通信手段が上記第２の通信方式に切り替えられた場合、上記凹部を、上記通信先装置に示し得ない状態に変化させる
ことを特徴とする請求項１２に記載の通信装置。
【請求項１４】
上記切替手段は、
上記状態変化手段を兼ねており、上記通信手段を上記第１の通信方式に切り替えると共に、上記凹部を、上記通信先装置に示し得る状態に変化させ、上記通信手段を上記第２の通信方式に切り替えると共に、上記凹部を、上記通信先装置に示し得ない状態に変化させる
ことを特徴とする請求項１３に記載の通信装置。
【請求項１５】
上記第１の通信方式は、パラレル通信方式であり、上記第２の通信方式はシリアル通信方式である
ことを特徴とする請求項１２に記載の通信装置。
【請求項１６】
第１の通信方式に対応する通信手段と、
通信先装置の筐体に設けられた上記第１の通信方式に対応することを示す凹部を検出する検出手段と、
上記検出手段により上記凹部が検出されると、上記第１の通信方式で通信するよう上記通信手段を制御する制御手段と
を具えることを特徴とする通信装置。
【請求項１７】
上記通信手段は、
上記第１の通信方式及び第２の通信方式に対応し、
上記制御手段は、
上記検出手段により上記凹部が検出された場合、上記第１の通信方式で通信するよう上記通信手段を制御し、上記検出手段により上記凹部が検出されなかった場合、上記第２の通信方式で通信するよう上記通信手段を制御する
ことを特徴とする請求項１６に記載の通信装置。
【請求項１８】
上記第１の通信方式は、パラレル通信方式であり、上記第２の通信方式はシリアル通信方式である
ことを特徴とする請求項１７に記載の通信装置。
【発明の詳細な説明】
【技術分野】
【０００１】
本発明は通信システムに関し、例えば電子機器と半導体記憶装置との間で通信する際に適用して好適なものである。
【背景技術】
【０００２】
近年、フラッシュメモリ等の半導体メモリを内蔵したカード型の半導体記憶装置（以下、これをメモリカードとも呼ぶ）が広く普及しており、かかるメモリカードとしては、メモリスティックＰＲＯ（Ｒ）等が知られている（例えば特許文献１参照）。このメモリカードは、ハードディスク等と比べて小型で耐久性に優れていることから、特にデジタルスチルカメラや携帯電話機、携帯型オーディオプレイヤ等のような携帯型の電子機器の記憶媒体として多く用いられている。また、デジタルスチルカメラ等で撮像した画像データをプラズマテレビや液晶テレビ等で見たり、画像データをデスクトップ型パーソナルコンピュータで編集したりするために据え置き型の電子機器にも用いられている。
【０００３】
実際上、メモリカードを記憶媒体として用いる電子機器の筐体にはメモリカードを挿着するための挿着孔（以下、これをカードスロットとも呼ぶ）が設けられており、このカードスロットにメモリカードが挿着されることにより当該メモリカードと接続してデータ通信し得るようになされている。
【０００４】
ところで、従来このような電子機器及びメモリカードにおいては、１ビットずつデータをやり取りするシリアル通信方式でデータ通信するものが主流であった。ところが近年メモリカードの大容量化と共に当該メモリカードで扱うデータ量が飛躍的に増加していることから、シリアル通信方式ではその通信速度がネックになりつつある。そこで１度に数ビットずつデータをやり取りすることによりシリアル通信方式よりも通信速度を向上させたパラレル通信方式でデータ通信し得る電子機器及びメモリカードが提案されている。
【０００５】
また、このパラレル通信方式対応の電子機器及びメモリカードにおいては、現在広く普及しているシリアル通信方式の電子機器及びメモリカードも使用できるように、シリアル及びパラレルの両通信方式に対応するものも提案されている。このような両通信方式に対応する電子機器及びメモリカードは、例えばシリアル通信方式でデータ通信するモード（以下、これをシリアル通信モードとも呼ぶ）とパラレル通信方式でデータ通信するモード（以下、これをパラレル通信モードとも呼ぶ）とを切り替え得るようになされている。
【０００６】
ここで、シリアル及びパラレルの両通信方式に対応した電子機器における通信モードの切替手順について、図１３のシーケンスチャートを用いて説明する。
【０００７】
電子機器は、初期モードとして互換性のあるシリアル通信モードで動作するようになされており、カードスロットにメモリカードが挿着されると、ステップＳＰ１００において当該メモリカードの挿着を確認し、次のステップＳＰ１０１に移る。ステップＳＰ１０１において電子機器は、メモリカードの種別を示す情報（以下、これをメディア種別情報とも呼ぶ）をメモリカードに読み出させるコマンドをシリアル通信方式で当該メモリカードに送信する。
【０００８】
メモリカードは、電子機器からメディア種別情報を読み出すコマンドを受信すると、ステップＳＰ１０２において、自身に記憶されているメディア種別情報を読み出し、これをシリアル通信方式で電子機器に送信する。
【０００９】
電子機器は、メモリカードからメディア種別情報を受信すると、続くステップＳＰ１０３において、このメディア種別情報からメモリカードの種別を認識して、次のステップＳＰ１０４に移る。
【００１０】
ステップＳＰ１０４において電子機器は、挿着されたメモリカードの種別がパラレル通信方式に対応したものであるか否かを判定する。ここで肯定結果を得ると、電子機器は、次のステップＳＰ１０５に移り、メモリカード内部に設けられたレジスタの所定部分に書き込まれている通信モード設定値をシリアル通信モードを示す値からパラレル通信モードを示す値に書き替えるコマンド（以下、これを通信モード切替コマンドとも呼ぶ）をシリアル通信方式でメモリカードに送信してから、自身の通信モードをパラレル通信モードに切り替える。
【００１１】
メモリカードは、通信モード切替コマンドを電子機器から受信すると、ステップＳＰ１０６において、この通信モード切替コマンドに応じて、内部に設けられたレジスタの所定部分に書き込まれている通信モード設定値をシリアル通信モードを示す値からパラレル通信モードを示す値に書き替えることにより、自身の通信モードをパラレル通信モードに切り替える。
【００１２】
ステップＳＰ１０７において電子機器は、パラレル通信モードに遷移したメモリカードに対して、メモリカードに書き込むべきデータをパラレル通信方式で送信する。なお、以下の説明においては、メモリカードに書き込むべきデータ及びメモリカードからよ読み出すべきデータを実データとも呼ぶ。
【００１３】
これに対して上述のステップＳＰ１０４において否定結果を得ると、このことは、挿着されたメモリカード４の種別がパラレル通信方式に非対応の種別であることを表しており、このとき電子機器は、シリアル通信モードのままステップＳＰ１０７に移る。
【００１４】
ステップＳＰ１０７において電子機器は、シリアル通信方式にのみ対応するメモリカードに対して、実データをシリアル通信方式で送信する。
【００１５】
このようにシリアル及びパラレルの両通信方式に対応する電子機器は、まず挿着されたメモリカードにシリアル通信方式でアクセスして当該メモリカードからメディア種別情報を取得し、このメディア種別情報をもとに当該メモリカードの対応する通信方式を認識する。そして電子機器は、メモリカードの対応する通信方式が例えばシリアル及びパラレルの両方であることを認識した場合、自身の通信モードと当該メモリカードの通信モードとをシリアルからパラレルに切り替えて、当該メモリカードとパラレル通信方式でデータ通信するようになされている。
【特許文献１】特開２００３−２４２４７０公報
【発明の開示】
【発明が解決しようとする課題】
【００１６】
ところで、従来のシリアル及びパラレルの両通信方式に対応する電子機器においては、挿着されたメモリカードにシリアル通信モードでアクセスしてメディア識別情報を取得しなければ、当該メモリカードの対応する通信方式がシリアルのみであるのか、あるいはシリアル及びパラレルの両方であるのかを認識することができない。
【００１７】
従って、この電子機器は、例えば挿着されたメモリカードがパラレル通信方式対応であっても、はじめにシリアル通信方式でデータ通信して当該メモリカードがパラレル通信方式対応であることを認識してからでなければパラレル通信方式で実データの送受を開始することができなかった。
【００１８】
このように、従来の電子機器及びメモリカードでは、所定の通信方式（ここではシリアル通信方式）でデータ通信して互いの通信方式を認識する処理を行ってからでなければ、実データの送受を開始することができず、結果として実データの送受を開始するまでに時間がかかるという問題があった。
【００１９】
本発明は以上の点を考慮してなされたもので、一段と高速に通信し得る通信システムを提案しようとするものである。
【課題を解決するための手段】
【００２０】
かかる課題を解決するため本発明の通信システムにおいては、第１の通信装置と第２の通信装置とが接続されて互いに対応する通信方式で通信する通信システムにおいて、第１の通信装置に、第１の通信方式に対応する第１の通信手段と、第１の通信方式に対応することを示す凹部が形成された筐体とを設け、第２の通信装置に、第１の通信方式に対応する第２の通信手段と、第１の通信装置の筐体に設けられた凹部を検出する検出手段と、検出手段により凹部が検出されると、第１の通信方式で通信するよう第２の通信手段を制御する制御手段とを設けるようにした。
【００２１】
この結果、第２の通信装置が、第１の通信装置の筐体に設けられた第１の通信方式に対応することを示す凹部を検出することにより当該第１の通信装置が第１の通信方式に対応することを認識することができるので、所定の通信方式で第１の通信装置と通信して第１の通信装置の対応する通信方式を認識する処理を行わずに、直ちに第１の通信方式で実データの送受を開始することができる。
【発明の効果】
【００２２】
本発明によれば、第２の通信装置が、第１の通信装置の筐体に設けられた第１の通信方式に対応することを示す凹部を検出することにより当該第１の通信装置が第１の通信方式に対応することを認識することができるので、所定の通信方式で第１の通信装置と通信して第１の通信装置の対応する通信方式を認識する処理を行わずに、直ちに第１の通信方式で実データの送受を開始することができ、かくして一段と高速に通信し得る通信システムを実現できる。
【発明を実施するための最良の形態】
【００２３】
以下図面について、本発明の一実施の形態を詳述する。
【００２４】
（１）第１の実施の形態
（１−１）システム構成
図１において、１は全体としてシリアル及びパラレルの両通信方式に対応した通信システムを示し、電子機器２に設けられたカードスロット３に対してメモリカード４が挿着されると、当該電子機器２とメモリカード４とが接続されデータ通信可能な状態となる。
【００２５】
そして例えばメモリカード４に内蔵されたフラッシュメモリに書き込むべきデータ（すなわち実データ）が電子機器２から当該メモリカード４に転送されると、メモリカード４がこの転送された実データをフラッシュメモリに書き込むようになされている。
【００２６】
（１−２）メモリカード及びカードスロットの構成
メモリカード４は、図２、図３（Ａ）及び（Ｂ）に示すように横長の扁平矩形状でなるカード型の筐体５を有する。この筐体５の裏面には、その中央部に筐体５の長手方向に沿ってスライド溝６が設けられていると共に、このスライド溝６内をスライド可能なスライドスイッチ７が取り付けられている。そしてメモリカード４は、このスライドスイッチ７が例えばユーザによりスライド溝６の一端側にスライドさせられるとシリアル通信方式でデータ通信するシリアル通信モードに遷移し、他端側にスライドさせられるとパラレル通信方式でデータ通信するパラレル通信モードに遷移するようになされている。
【００２７】
さらに筐体５の裏面には、短辺側端部の一方（以下、これを一端部と呼ぶ）に複数の帯状溝Ｇ（Ｇ１、Ｇ２、…、Ｇ１０）が設けられている。この帯状溝Ｇ（Ｇ１、Ｇ２、…、Ｇ１０）は、それぞれ裏面の一端部から他端部へ向かう方向（矢印Ａの方向）に延長されてなる帯状の溝であり、互いに平行で、かつ所定の間隔をあけて並設されている。またこの帯状溝Ｇ（Ｇ１、Ｇ２、…、Ｇ１０）のそれぞれには、電子機器２と接続するためのカード側帯状端子ＣＴ（ＣＴ１、ＣＴ２、…、ＣＴ１０）が埋設されている。
【００２８】
ここで帯状溝Ｇ１０は、図３（Ａ）に示すように、他の帯状溝Ｇ１〜Ｇ９よりも所定長だけ長く矢印Ａ方向に延長されており、この所定長だけ長く延長された溝部分（以下、これを延長溝部分とも呼ぶ）Ｇ１０ｅには、当該延長溝部分Ｇ１０ｅに沿って筐体５に対して出し入れ自在に摺動する摺動ピン８が設けられている。
【００２９】
この摺動ピン８は、スライドスイッチ７のスライド動作と連動して摺動するようになされており、図３（Ａ）に示すようにスライドスイッチ７がスライド溝６の他端側（矢印Ａの方向）にスライドさせられると、帯状溝Ｇ１０の他端側へ向かう方向（矢印Ａの方向）に摺動して、帯状溝Ｇ１０の延長溝部分Ｇ１０ｅを露出させるように筐体５内に収納される。
【００３０】
また摺動ピン８は、図３（Ｂ）に示すようにスライドスイッチ７がスライド溝６の一端側（矢印Ａの逆方向）にスライドさせられると、帯状溝Ｇ１０の一端側へ向かう方向（矢印Ａの逆方向）に摺動して、帯状溝Ｇ１０の延長溝部分Ｇ１０ｅを埋めるように筐体５内から突出する。
【００３１】
すなわち、この摺動ピン８は、スライドスイッチ７がスライド溝６の他端側にスライドしてメモリカード４がパラレル通信モード（図３（Ａ））にあるとき、帯状溝Ｇ１０の延長溝部分Ｇ１０ｅを露出させ、またスライドスイッチ７がスライド溝６の一端側にスライドしてメモリカード４がシリアル通信モード（図３（Ｂ））にあるとき、帯状溝Ｇ１０の延長溝部分Ｇ１０ｅを埋めるように摺動する。
【００３２】
ちなみに、このメモリカード４の筐体５は、既存のメモリカードの筐体に、スライド溝６と、このスライド溝６内をスライドするスライドスイッチ７と、帯状溝Ｇ１０の延長溝部分Ｇ１０ｅと、この延長溝部分Ｇ１０ｅ内を摺動する摺動ピン８とを新たに設けただけの形状であり、既存の筐体と比べて突出するような部位は設けていない。
【００３３】
一方、電子機器２のカードスロット３は、図２に示すように、メモリカード４の筐体５を収納し得る程度の大きさに形成され、その内面（この場合、挿着されたメモリカード４の裏面と向かい合う面）には、挿着されたメモリカード４のカード側帯状端子ＣＴ（ＣＴ１、ＣＴ２、…、ＣＴ１０）のそれぞれと接触する位置に機器側帯状端子ＩＴ（ＩＴ１、ＩＴ２、…、ＩＴ１０）が並設されている。
【００３４】
これら機器側帯状端子ＩＴ（ＩＴ１、ＩＴ２、…、ＩＴ１０）は、それぞれの一端部分が電子機器２内部の回路基板に接続されていると共に、それぞれの他端部分が挿着されたメモリカード４のカード側帯状端子ＣＴ（ＣＴ１、ＣＴ２、…、ＣＴ１０）に接触するようになされている。これにより電子機器２は、機器側帯状端子ＩＴ（ＩＴ１、ＩＴ２、…、ＩＴ１０）を介して、挿着されたメモリカード４と電気的に接続し得るようになされている。
【００３５】
さらにこのカードスロット３の内面には、挿着されたメモリカード４の裏面に設けられた帯状溝Ｇ１０の延長溝部分Ｇ１０ｅとほぼ向かい合う位置に、この延長溝部分Ｇ１０ｅを検出するための溝検出スイッチ９が取り付けられている。
【００３６】
この溝検出スイッチ９は、図４（Ａ）及び（Ｂ）に示すように、扁平矩形状の筐体１０を有し、当該筐体１０の一面（以下、これを上面とする）には、カードスロット３の内面に当該筐体１０を取り付けるための取付部１１が設けられている。従って筐体１０は、その上面がカードスロット３の内面に取り付けられ、このとき下面がカードスロット３に挿着されたメモリカード４の裏面と向かい合う。
【００３７】
また筐体１０の一側面には、略棒状でその幅がメモリカード４の帯状溝Ｇ１０の幅よりも狭くなるように形成されたプッシュレバー１２の一端が、上下に回動自在に枢支されている。さらにこのプッシュレバー１２は、筐体１０内の付勢部材（図示せず）により下方に付勢されている。
【００３８】
そして、この溝検出スイッチ９は、付勢部材によりプッシュレバー１２の他端が筐体１０の下面よりも下方になる位置まで押下げられている状態（図３（Ａ））のときにオンとなり、外力等によりプッシュレバー１２の他端が下面とほぼ平行になる位置まで押上げられた状態（図３（Ｂ））のときにオフとなるようにスイッチング動作する。
【００３９】
ここで、溝検出スイッチ９と、カードスロット３に挿着されたメモリカード４との位置関係を更に詳しく説明する。
【００４０】
図５（Ａ）及び（Ｂ）に示すように、溝検出スイッチ９の筐体１０は、プッシュレバー１２の長手方向と、挿着されたメモリカード４の裏面に設けられた帯状溝Ｇ１０の長手方向とが一致し、かつ当該プッシュレバー１２の真下に帯状溝Ｇ１０の延長溝部分Ｇ１０ｅが位置するように、カードスロット３の内面に取り付けられている。
【００４１】
この結果、図５（Ａ）及び図６（Ａ）に示すように、メモリカード４の摺動ピン８が筐体５内に収納されて延長溝部分Ｇ１０ｅが露出しているとき、溝検出スイッチ９は、プッシュレバー１２の他端が筐体１０の下面よりも下方になる位置までこの延長溝部分Ｇ１０ｅ内に押下げられることによりオンとなる。
【００４２】
これに対して図５（Ｂ）及び図６（Ｂ）に示すように、メモリカード４の摺動ピン８が筐体５から突出して延長溝部分Ｇ１０ｅを埋めている場合、溝検出スイッチ９は、プッシュレバー１２の他端が筐体１０の下面とほぼ平行になる位置まで当該摺動ピン８に押上げられることによりオフとなる。
【００４３】
すなわちこの溝検出スイッチ９は、挿着されたメモリカード４の裏面に設けられた帯状溝Ｇ１０の延長溝部分Ｇ１０ｅが露出しているとき（すなわちメモリカード４がパラレル通信モードのとき）、この延長溝部分Ｇ１０ｅを検出してオンとなり、この延長溝部分Ｇ１０ｅが埋められているとき（すなわちメモリカード４がシリアル通信モードのとき）、この延長溝部分Ｇ１０ｅを検出できずにオフとなるようにスイッチング動作する。
【００４４】
（１−３）電子機器及びメモリカードの回路構成
次に、電子機器２及びメモリカード４の回路構成について説明する。まず電子機器２の回路構成を図７に示す。電子機器２は、ＣＰＵ（Central Processing Unit）、ＲＯＭ（Read Only Memory）及びＲＡＭ（Random Access Memory）構成の制御部２０が、バス２１を介して接続されたハードディスク等でなる記憶部２２からＯＳ等の制御プログラムを読み出し、この読み出した制御プログラムに従って全体を統括的に制御するようになされている。
【００４５】
またこのバス２１には、ユーザが各種命令を入力するための操作ボタン等でなる操作部２３、カードスロット３に挿着されたメモリカード４とシリアル通信方式又はパラレル通信方式でデータ通信するためのインタフェース部２４、挿着されたメモリカード４の通信モードを認識するシリアル／パラレル認識部２５、メモリカード４から読み出したデータに基づく映像や音声を出力する出力部２６が接続されている。
【００４６】
ここでシリアル／パラレル認識部２５は、上述の溝検出スイッチ９のスイッチング動作をもとに、挿着されたメモリカード４の通信モードを認識するようになされており、溝検出スイッチ９がオンのときに当該メモリカード４の通信モードがパラレルであると認識し、オフのときに当該メモリカード４の通信モードがシリアルであると認識する。
【００４７】
すなわち制御部２０は、カードスロット３にメモリカード４が挿着されると、シリアル／パラレル認識部２５でこのメモリカード４の通信モードを認識し、認識した通信モードに応じてインタフェース部２４の通信方式を切り替えることで通信モードを設定し、この設定した通信モードでメモリカード４とデータ通信するようになされている。
【００４８】
次いで、メモリカード４の回路構成を図８に示す。メモリカード４は、インタフェース制御部３０が、筐体５に設けられたスライドスイッチ７（図２）のスライド位置に応じて、インタフェース制御部３０内に設けられたレジスタ３０Ａの所定部分に書き込まれている通信モード設定値を書き替えることにより、通信モードをシリアル又はパラレルに設定し、この設定した通信モードで電子機器２とデータ通信するようになされている。
【００４９】
すなわちインタフェース制御部３０は、スライドスイッチ７がスライド溝６の一端側に位置するときには通信モードをシリアルに設定し、スライドスイッチ７がスライド溝６の他端側に位置するときにはパラレルに設定するようになされている。
【００５０】
そしてインタフェース制御部３０は、例えば実データを、設定した通信モードで電子機器２から受信すると、これをバッファメモリ３１に送出する。
【００５１】
バッファメモリ３１は、インタフェース制御部３０から供給された実データを一時保存する。そしてこのバッファメモリ３１に一時保存された実データは、メモリ制御部３２により所定のタイミングで読み出され、フラッシュメモリ３３に書き込まれる。
【００５２】
またメモリ制御部３２は、実データをフラッシュメモリ３３から読み出し、これをバッファメモリ３１に送出する。バッファメモリ３１は、メモリ制御部３２から供給された実データを一時保存する。そしてこのバッファメモリ３２に一時保存された実データは、インタフェース制御部３０により所定のタイミングで読み出され、設定された通信モードで電子機器２に送信される。
【００５３】
このようにメモリカード４は、スライドスイッチ７のスライド位置に応じた通信モードで動作し、電子機器２から受信した実データを自身のフラッシュメモリ３３に書き込むと共に、フラッシュメモリ３３から読み出した実データを電子機器２に送信するようになされている。
【００５４】
（１−４）データ通信処理
ここで、かかる通信システム１の電子機器２が、挿着されたメモリカード４の通信モードを認識し、この認識した通信モードに対応する通信モードで当該メモリカード４とデータ通信するデータ通信処理の手順について図９のシーケンスチャートを用いて説明する。
【００５５】
電子機器２は、電源が投入された状態で、メモリカード４がカードスロット３に挿着されると、ステップＳＰ１においてメモリカード４の挿着を確認する。一方、メモリカード４は、電子機器２のカードスロット３に挿着されると、ステップＳＰ２において、当該電子機器２からの電源供給により起動し、スライドスイッチ７がスライド溝６の一端側にスライドさせられている場合には通信モードをパラレル通信モードに設定し、他端側にスライドさせられている場合には通信モードをシリアル通信モードに設定する。
【００５６】
電子機器２は、続くステップＳＰ３において、溝検出スイッチ９の状態（オン／オフ）を確認し、次のステップＳＰ４に移る。ステップＳＰ４において電子機器２は、溝検出スイッチ９がオンであるか否かを判定する。
【００５７】
ここで肯定結果を得ると、このことは溝検出スイッチ９がオンであること、すなわちメモリカード４がパラレル通信モードに設定されていることを表しており、このとき電子機器２は次のステップＳＰ５に移る。
【００５８】
ステップＳＰ５において電子機器２は、自身の通信モードをパラレル通信モードに設定し、次のステップＳＰ７に移る。
【００５９】
これに対してステップＳＰ４で否定結果を得ると、このことは溝検出スイッチ９がオフであること、すなわちメモリカード４がシリアル通信モードに設定されていることを表しており、このとき電子機器２は次のステップＳＰ６に移る。
【００６０】
ステップＳＰ６において電子機器２は、自身の通信モードをシリアル通信モードに設定し、次のステップＳＰ７に移る。
【００６１】
ステップＳＰ７において電子機器２は、メモリカード４に対して、ステップＳＰ５又はステップＳＰ６で設定した通信方式（例えばパラレル）で実データを送信する。
【００６２】
メモリカード４は、ステップＳＰ８において、電子機器２から送られてくる実データを、上述のステップＳＰ２で設定した通信モード（例えばパラレル）で受信する。
【００６３】
このように、電子機器２は、メモリカード４が挿着された時点で、カードスロット３内の溝検出スイッチ９の状態をもとにメモリカード４の通信モードを認識し、この認識した通信モードに対応する通信モードでメモリカード４に実データを送信するようになされている。
【００６４】
なお、ここでは一例として電子機器２がメモリカードに対して実データを送信する場合の処理手順について説明したが、電子機器２がメモリカードから実データを受信する（読み出す）場合の処理手順も同様である。
【００６５】
（１−５）第１の実施の形態における動作及び効果
以上の構成において通信システム１のメモリカード４は、筐体５の裏面に設けられたスライドスイッチ７がスライド溝６の一端側にスライドさせられると、通信モードをパラレルに設定すると共に、裏面に設けられた帯状溝Ｇ１０の延長溝部分Ｇ１０ｅ内を摺動する摺動ピン８を筐体５内に収納して、この延長溝部分Ｇ１０ｅを露出させる。
【００６６】
またメモリカード４は、スライドスイッチ７がスライド溝６の他端側にスライドさせられると、通信モードをシリアルに設定すると共に、摺動ピン８を筐体５から突出させて、この摺動ピン８で延長溝部分Ｇ１０ｅを埋める。
【００６７】
このようにメモリカード４は、パラレル通信モード時には、筐体５に設けられた帯状溝Ｇ１０の延長溝部分Ｇ１０ｅを露出させることにより、自身の通信モードがパラレルであることを外部に呈示し、またシリアル通信モード時には、この延長溝部分Ｇ１０ｅを埋めることにより、自身の通信モードがシリアルであることを外部に呈示する。
【００６８】
一方、電子機器２は、メモリカード４がカードスロット３に挿着されると、カードスロット３に取り付けられた溝検出スイッチ９の状態を確認する。ここで、この溝検出スイッチ９は、メモリカード４の裏面に設けられた帯状溝Ｇ１０の延長溝部分Ｇ１０ｅが露出している場合には、この延長溝部分Ｇ１０ｅを検出してオンとなり、当該延長溝部分Ｇ１０ｅが埋められている場合には、この延長溝部分Ｇ１０ｅを検出できずにオフとなる。
【００６９】
従って電子機器２は、溝検出スイッチ９がオンのときに、メモリカード４の通信モードがパラレルであると認識することができ、またオフのときに、メモリカード４の通信モードがシリアルであると認識することができる。そして電子機器２は、認識したメモリカード４の通信モードに対応する通信モードで実データの送受を開始する。
【００７０】
かくして電子機器２は、例えばスライドスイッチ７により通信モードをパラレルに切り替えたメモリカード４がカードスロット３に挿着されると、このときメモリカード４の筐体５に露出している帯状溝Ｇ１０の延長溝部分Ｇ１０ｅを溝検出スイッチ９で検出することによりメモリカード４の通信モードがパラレルであること（すなわちパラレル通信方式に対応していること）を認識することができ、この結果、従来のようなシリアル通信方式でメモリカード４とデータ通信して当該メモリカード４の対応する通信方式を認識する処理を行わずに、直ちにパラレル通信方式で実データの送受を開始することができる。
【００７１】
またメモリカード４の筐体５は、既存のメモリカードの筐体に、スライド溝６と、このスライド溝６内をスライドするスライドスイッチ７と、帯状溝Ｇ１０の延長溝部分Ｇ１０ｅと、この延長溝部分Ｇ１０ｅ内を摺動する摺動ピン８とを新たに設けただけの形状であり、既存の筐体と比べて突出するような部位は設けていない。すなわち、このメモリカード４の筐体５は、既存の筐体と同サイズ（外形寸法）に形成されており、これにより電子機器２のカードスロット３も既存のカードスロットと同サイズにすることができる。
【００７２】
この結果、電子機器２のカードスロット３に、既存のメモリカードを挿着することもでき、また既存の電子機器のカードスロットに、メモリカード４を挿着することもできる。
【００７３】
実際上、例えば電子機器２のカードスロット３に、既存のシリアル通信方式にのみ対応するメモリカードが挿着された場合、電子機器２は、このメモリカードの筐体裏面に帯状溝Ｇ１０の延長溝部分Ｇ１０ｅが設けられていないので溝検出スイッチ９がオフとなり、この結果、当該メモリカードがシリアル通信モードであると認識することができ、当該メモリカードとシリアル通信方式でデータ通信することができる。
【００７４】
また、例えば既存のシリアル通信方式にのみ対応する電子機器のカードスロットに、本実施の形態のメモリカード４を挿着する場合、このメモリカード４の通信モードをスライドスイッチ７でシリアル通信モードに切り替えてから挿着することで、メモリカード４は、当該電子機器とシリアル通信方式でデータ通信することができる。
【００７５】
このように、電子機器２及びメモリカード４は、既存の電子機器及びメモリカードとの互換性を保持するようにもなされている。
【００７６】
以上の構成によれば、この通信システム１では、電子機器２が、挿着されたメモリカード４の筐体５Ａに露出しているパラレル通信モードであることを示す延長溝部分Ｇ１０ｅを、溝検出スイッチ９で検出することによりメモリカード４がパラレル通信方式に対応していることを認識することができ、この結果、電子機器２がシリアル通信方式でメモリカード４とデータ通信してメモリカード４の対応する通信方式を認識する処理を行わずに、直ちにパラレル通信方式で実データの送受を開始することができるので、一段と高速にデータ通信することができる。
【００７７】
（２）第２の実施の形態
この第２の実施の形態においては、通信システム１（本実施の形態では１Ａ）のメモリカード４（本実施の形態では４Ａ）から帯状溝Ｇ１０の延長溝部分Ｇ１０ｅと摺動ピン８とを省略した点、及び電子機器２（本実施の形態では２Ａ）のカードスロット３内における溝検出スイッチ９の取付位置が異なる点以外は、上述の第１の実施の形態と同様であり、同様部分の説明は省略する。
【００７８】
（２−１）メモリカード及びカードスロットの構成
通信システム１Ａのメモリカード４Ａは、図２との対応部分に同一符号を付した図１０や、図３（Ａ）及び（Ｂ）との対応部分に同一符号を付した図１１（Ａ）及び（Ｂ）に示すように横長の扁平矩形状でなる筐体５Ａを有する。この筐体５Ａは、第１の実施の形態で述べたメモリカード４の筐体５から帯状溝Ｇ１０の延長溝部分Ｇ１０ｅと摺動ピン８とを省略した形状を有する。
【００７９】
すなわち筐体５Ａは、その裏面中央部にスライド溝６及びスライドスイッチ７が設けられていると共に、裏面一端部に矢印Ａの方向に所定長だけ延長された複数の帯状溝Ｇ（Ｇ１、Ｇ２、…、Ｇ１０）が形成されており、この帯状溝Ｇ（Ｇ１、Ｇ２、…、Ｇ１０）のそれぞれに対してカード側帯状端子ＣＴ（ＣＴ１、ＣＴ２、…、ＣＴ１０）が埋設されている。
【００８０】
そしてメモリカード４Ａは、スライドスイッチ７がスライド溝６の一端側にスライドさせられると、スライド溝６の一端部分６Ａが当該スライドスイッチ７で埋められると共に、シリアル通信モードに遷移し、他端側にスライドさせられると、スライド溝６の一端部分６Ａが露出すると共に、パラレル通信モードに遷移するようになされている。
【００８１】
一方、電子機器２Ａのカードスロット３は、図１０に示すように、メモリカード４Ａの筐体５Ａを収納し得る程度の大きさに形成され、その内面には、機器側帯状端子ＩＴ（ＩＴ１、ＩＴ２、…、ＩＴ１０）が並設されている。
【００８２】
さらにこのカードスロット３の内面には、挿着されたメモリカード４Ａの裏面に設けられたスライド溝６の一端部分６Ａとほぼ向かい合う位置に溝検出スイッチ９が取り付けられている。この場合の溝検出スイッチ９は、スライド溝６の一端部分６Ａを検出するためのものとなる。
【００８３】
ここで、溝検出スイッチ９と、カードスロット３に挿着されたメモリカード４Ａとの位置関係を更に詳しく説明する。
【００８４】
図５（Ａ）及び（Ｂ）との対応部分に同一符号を付した図１２（Ａ）及び（Ｂ）に示すように、溝検出スイッチ９の筐体１０は、プッシュレバー１２の長手方向と、挿着されたメモリカード４Ａの裏面に設けられたスライド溝６の長手方向とが一致し、かつ当該プッシュレバー１２の真下にスライド溝６の一端部分６Ａが位置するように、カードスロット３の内面に取り付けられている。
【００８５】
この結果、図１２（Ａ）に示すように、メモリカード４Ａのスライドスイッチ７がスライド溝６の他端側にスライドしてスライド溝６の一端部分６Ａが露出しているとき、溝検出スイッチ９は、プッシュレバー１２の他端が筐体１０の下面よりも下方になる位置までスライド溝６の一端部分６Ａ内に押下げられることによりオンとなる。
【００８６】
これに対して図１２（Ｂ）に示すように、メモリカード４Ａのスライドスイッチ７がスライド溝６の一端側にスライドしてスライド溝６の一端部分６Ａを埋めている場合、溝検出スイッチ９は、プッシュレバー１２の他端が筐体１０の下面とほぼ平行になる位置までスライドスイッチ７に押上げられることによりオフとなる。
【００８７】
すなわちこの溝検出スイッチ９は、挿着されたメモリカード４の裏面に設けられたスライド溝６の一端部分６Ａが露出しているとき（すなわちメモリカード４Ａがパラレル通信モードのとき）、この一端部分６Ａを検出してオンとなり、この一端部分６Ａが埋められているとき（すなわちメモリカード４Ａのシリアル通信モードのとき）、この一端部分６Ａを検出できずにオフとなるようにスイッチング動作する。
【００８８】
（２−２）第２の実施の形態による動作及び効果
以上の構成においてメモリカード４Ａは、筐体５Ａの裏面に設けられたスライドスイッチ７がスライド溝６の一端側にスライドさせられることにより、スライド溝６の一端部分６Ａが当該スライドスイッチ７で露出した際、通信モードをパラレルに設定し、またスライドスイッチ７がスライド溝６の他端側にスライドさせられることにより、スライド溝６の一端部分６Ａが埋められた際、通信モードをシリアルに設定する。
【００８９】
一方、電子機器２Ａは、メモリカード４Ａがカードスロット３に挿着されると、カードスロット３に取り付けられた溝検出スイッチ９の状態を確認する。ここで、この溝検出スイッチ９は、メモリカード４Ａの裏面に設けられたスライド溝６の一端部分６Ａが露出している場合には、この一端部分６Ａを検出してオンとなり、当該一端部分６Ａが埋められている場合には、この一端部分６Ａを検出できずにオフとなる。
【００９０】
従って電子機器２Ａは、溝検出スイッチ９がオンのときに、メモリカード４Ａの通信モードがパラレルであると認識することができ、またオフのときに、メモリカード４Ａの通信モードがシリアルであると認識することができる。そして電子機器２Ａは、認識したメモリカード４Ａの通信モードに対応する通信モードで実データの送受を開始する。
【００９１】
かくして電子機器２Ａは、例えばスライドスイッチ７により通信モードをパラレルに切り替えたメモリカード４Ａがカードスロット３に挿着されると、このときメモリカード４Ａの筐体５Ａに露出しているスライド溝６の一端部分６Ａを溝検出スイッチ９で検出することによりメモリカード４Ａの通信モードがパラレルであることを認識することができ、この結果、従来のようなシリアル通信方式でメモリカード４Ａとデータ通信して当該メモリカードの対応する通信方式を認識する処理を行わずに、直ちにパラレル通信方式で実データの送受を開始することができる。
【００９２】
またメモリカード４Ａの筐体５Ａは、第１の実施の形態で述べたメモリカード４の筐体５から帯状溝Ｇ１０の延長溝部分Ｇ１０ｅと摺動ピン８とを省略した形状でなると共に、この帯状溝Ｇ１０の延長溝部分Ｇ１０ｅ及び摺動ピン８の役割を、スライド溝６及びスライドスイッチ７が兼ねるようにした。これにより、一段と簡易な構成で第１の実施の形態と同様の効果を実現することができる。
【００９３】
以上の構成によれば、この通信システム１Ａでは、電子機器２Ａが、挿着されたメモリカード４Ａの筐体５Ａに露出しているパラレル通信モードであることを示すスライド溝６の一端部分６Ａを、溝検出スイッチ９で検出することによりメモリカード４Ａがパラレル通信方式に対応していることを認識することができ、この結果、電子機器２Ａがシリアル通信方式でメモリカード４Ａとデータ通信してメモリカード４Ａの対応する通信方式を認識する処理を行わずに、直ちにパラレル通信方式で実データの送受を開始することができるので、一段と高速にデータ通信することができる。
【００９４】
（３）他の実施の形態
なお上述の第１の実施の形態においては、メモリカード４の筐体５の裏面一端部に、当該メモリカード４がパラレル通信方式に対応することを示す凹部として、帯状溝Ｇ１０の延長溝部分Ｇ１０ｅを設けるようにし、また第２の実施の形態においては、メモリカード４Ａの筐体５Ａの裏面中央部に、同様のことを示す凹部として、スライド溝６の一端部分６Ａを設けるようにした場合について述べたが、本発明はこれに限らず、これら筐体５及び５Ａの他の部分にこのような凹部を設けるようにしてもよい。
【００９５】
また上述の第１及び第２の実施の形態においては、通信システム１及び１Ａが、第１の通信方式としてのパラレル通信方式及び第２の通信方式としてのシリアル通信方式に対応するシステムである場合について述べたが、本発明はこれに限らず、これらシリアル通信方式及びパラレル通信方式以外の通信方式に対応するシステムであってもよい。
【００９６】
さらに上述の第１及び第２の実施の形態においては、メモリカード４及び４Ａが、スライドスイッチ７のスライド位置に応じて、レジスタ３０Ａの所定部分に書き込まれている通信モード設定値を書き替えることにより、自身の通信モードを設定するようにした場合について述べたが、本発明はこれに限らず、例えばスライドスイッチ７のスライド位置に応じて、シリアル通信方式の回路とパラレル通信方式の回路とを物理的に切り替えることにより通信モードを設定するようにしてもよいし、この他種々の方法で通信モードを設定するようにしてもよい。
【００９７】
さらに上述の第１及び第２の実施の形態においては、通信システム１及び１Ａを構成する通信装置として、電子機器２及び２Ａ、メモリカード４及び４Ａを用いた場合について述べたが、本発明はこれに限らず、接続された状態で互いに対応する通信方式により通信する通信装置であれば、この他種々の通信装置で通信システム１及び１Ａを構成するようにしてもよい。
【００９８】
さらに上述の第１の実施の形態においては、状態変化手段としての摺動ピン８を摺動させて凹部としての帯状溝Ｇ１０の延長溝部分Ｇ１０ｅを露出させることにより、当該延長溝部分Ｇ１０ｅを溝検出スイッチ９で検出させ得る状態にし、また摺動ピン８を摺動させてこの延長溝部分Ｇ１０ｅを埋めることにより、当該延長溝部分Ｇ１０ｅを溝検出スイッチ９で検出させ得ない状態にするようにした場合について述べたが、本発明はこれに限らず、この延長溝部分Ｇ１０ｅを溝検出スイッチ９で検出させ得る状態と、検出させ得ない状態に変化させるものであれば、この他種々の状態変化手段を用いてもよい。
【００９９】
さらに上述の第２の実施の形態においては、状態変化手段としてのスライドスイッチ７をスライドさせて凹部としてのスライド溝６の一端部分６Ａを露出させることにより、当該一端部分６Ａを溝検出スイッチ９で検出させ得る状態にし、またスライドスイッチ７をスライドさせてこの一端部分６Ａを埋めることにより、当該一端部分６Ａを溝検出スイッチ９で検出させ得ない状態にするようにした場合について述べたが、本発明はこれに限らず、この一端部分６Ａを溝検出スイッチ９で検出させ得る状態と、検出させ得ない状態に変化させるものであれば、この他種々の状態変化手段を用いてもよい。
【０１００】
さらに上述の第１及び第２の実施の形態においては、プッシュレバー１２の上げ下げでスイッチング動作する溝検出スイッチ９を、筐体５及び５Ａに設けられた凹部（帯状溝Ｇ１０の延長溝部分Ｇ１０ｅ及びスライド溝６の一端部分６Ａ）を検出する検出手段として用いるようにした場合について述べたが、本発明はこれに限らず、例えば溝検出スイッチ９とは機構の異なるスイッチを検出手段として用いてもよく、この凹部を検出し得るものであれば、この他種々の検出手段を用いるようにしてもよい。
【０１０１】
さらに上述の第１の実施の形態においては、通信手段（第１の通信手段）としてのインタフェース制御部３０や、状態変化手段としての摺動ピン８や、切替手段としてのスライド溝６及びスライドスイッチ７によって通信装置（第１の通信装置）としてのメモリカード４を構成する場合について述べたが、本発明はこれに限らず、この他種々の構成でこのメモリカード４を構成するようにしてもよい。
【０１０２】
さらに上述の第２の実施の形態においては、通信手段（第１の通信手段）としてのインタフェース制御部３０や、状態変化手段及び切替手段としてのスライド溝６及びスライドスイッチ７によって通信装置（第１の通信装置）としてのメモリカード４Ａを構成する場合について述べたが、本発明はこれに限らず、この他種々の構成でこのメモリカード４Ａを構成するようにしてもよい。
【０１０３】
さらに上述の第１及び第２の実施の形態においては、通信手段（第２の通信手段）としてのインタフェース部２４や、検出手段としての溝検出スイッチ９や、制御手段としての制御部２０及びシリアル／パラレル認識部２５によって通信装置（第２の通信装置）としての電子機器２及び２Ａを構成する場合について述べたが、本発明はこれに限らず、この他種々の構成でこの電子機器２及び２Ａを構成するようにしてもよい。
【産業上の利用可能性】
【０１０４】
本発明は、半導体記憶装置と電子機器との間でデータ通信するシステムに広く利用できる。
【図面の簡単な説明】
【０１０５】
【図１】第１の実施の形態における通信システムの構成を示す略線図である。
【図２】カードスロット及びメモリカードの構成を示す略線図である。
【図３】メモリカードの外観構成（１）を示す略線図である。
【図４】溝検出スイッチの外観構成を示す略線図である。
【図５】挿入されたメモリカードと溝検出スイッチとの位置関係（１）を示す略線図である。
【図６】溝検出スイッチのスイッチング動作を示す略線図である。
【図７】電子機器の回路構成を示すブロック図である。
【図８】メモリカードの回路構成を示すブロック図である。
【図９】データ通信処理手順を示すシーケンスチャートである。
【図１０】第２の実施の形態におけるカードスロット及びメモリカードの構成を示す略線図である。
【図１１】メモリカードの外観構成（２）を示す略線図である。
【図１２】挿入されたメモリカードと溝検出スイッチとの位置関係（２）を示す略線図である。
【図１３】従来の通信モード切替処理手順を示すシーケンスチャートである。
【符号の説明】
【０１０６】
１、１Ａ……通信システム、２、２Ａ……電子機器、３……カードスロット、４、４Ａ……メモリカード、５、５Ａ、１０……筐体、６……スライド溝、６Ａ……一端部分６Ａ、７……スライドスイッチ、８……摺動ピン８、９……溝検出スイッチ、１１…取付部、１２…プッシュレバー、２０…制御部、２４…インタフェース部、２５…シリアル／パラレル認識部、３０…インタフェース制御部、３３…フラッシュメモリ、ＣＴ１〜ＣＴ１０……帯状端子、Ｇ１〜Ｇ１０……帯状溝、Ｇ１０ｅ……延長溝部分。
【図１】
2006079289.tif 000003
【図２】
2006079289.tif 000004
【図３】
2006079289.tif 000005
【図４】
2006079289.tif 000006
【図５】
2006079289.tif 000007
【図６】
2006079289.tif 000008
【図７】
2006079289.tif 000009
【図８】
2006079289.tif 000010
【図９】
2006079289.tif 000011
【図１０】
2006079289.tif 000012
【図１１】
2006079289.tif 000013
【図１２】
2006079289.tif 000014
【図１３】
2006079289.tif 000015